(57)【要約】【課題】本発明は、磁束の漏れを少なくして損失を少なくすることができるとともに、耐振性を向上させることができる信頼性の高いコイル部品を提供することを目的とするものである。【解決手段】本発明のコイル部品は、端子付きケース５の収納部６におけるコイル導体１の貫通孔２と対応する位置に孔９を設け、かつこの孔９を設けた面側の底部７における磁芯１０と対向する部分に切り欠き部１４を設け、さらにこの切り欠き部１４に磁性粉を混入した接着剤１５を配設して前記端子付きケース５と磁芯１０とを接着固定したものである。【選択図】図２
2009123870.tif 000002
【特許請求の範囲】
【請求項１】
エッジワイズ巻きにし、かつ中央の巻き軸方向に貫通孔を有するコイル導体と、このコイル導体を収納して固定する収納部と底部とを有する端子付きケースと、前記貫通孔に挿入され、かつ前記コイル導体を前記収納部の上から覆う磁芯とを備え、前記端子付きケースの収納部における前記貫通孔と対応する位置に孔を設け、かつこの孔を設けた面側の底部における前記磁芯と対向する部分に切り欠き部を設け、さらにこの切り欠き部に磁性粉を混入した接着剤を配設して前記端子付きケースと磁芯とを接着固定したコイル部品。
【発明の詳細な説明】
【技術分野】
【０００１】
本発明は、各種電子機器に使用されるコイル部品に関するものである。
【背景技術】
【０００２】
近年、電子機器の高周波化、大電流化に伴い、電子機器を駆動しているＤＣ−ＤＣコンバータ電源回路に使用するコイル部品も高周波化、大電流化してきている。
【０００３】
従来におけるこの種の大電流用のコイル部品としては、コイル導体と、このコイル導体を覆うコアと、端子部品を設けた絶縁性材料からなるベースとを備え、前記コイル導体をベースに固着するとともに、端子部品に半田で接続するようにしたものが知られている。
【０００４】
なお、この出願の発明に関する先行技術文献情報としては、例えば特許文献１が知られている。
【特許文献１】特開２００５−２４３８６７号公報
【発明の開示】
【発明が解決しようとする課題】
【０００５】
上記のように従来のコイル部品は、大電流を流すために損失が少ないものが要求されるようになってきているが、磁束の漏れを少なくして損失を減らそうとすると、コアが大きくなるとともに、高さも高くなってくるため、重心の位置が高くなり、その結果、基板に実装した状態での耐振性等の信頼性が悪くなるという課題を有していた。
【０００６】
本発明は上記従来の課題を解決するもので、磁束の漏れを少なくして損失を少なくすることができるとともに、耐振性を向上させることができる信頼性の高いコイル部品を提供することを目的とするものである。
【課題を解決するための手段】
【０００７】
上記目的を達成するために、本発明は以下の構成を有するものである。
【０００８】
本発明の請求項１に記載の発明は、エッジワイズ巻きにし、かつ中央の巻き軸方向に貫通孔を有するコイル導体と、このコイル導体を収納して固定する収納部と底部とを有する端子付きケースと、前記貫通孔に挿入され、かつ前記コイル導体を前記収納部の上から覆う磁芯とを備え、前記端子付きケースの収納部における前記貫通孔と対応する位置に孔を設け、かつこの孔を設けた面側の底部における前記磁芯と対向する部分に切り欠き部を設け、さらにこの切り欠き部に磁性粉を混入した接着剤を配設して前記端子付きケースと磁芯とを接着固定したもので、この構成によれば、磁芯の底面より下まで磁性粉を混入した接着剤で覆っているため、磁束の漏れを低減することができ、これにより、コイル部品の高さ寸法を高くすることなくコイル部品の電気性能を向上させることができ、また、磁性粉を混入した接着剤の密度は、合成樹脂などの端子付きケースを構成する材料の密度より大きくなるため、コイル部品の重心の位置を下げて耐振性を向上させることができ、さらには、磁性粉を混入した接着剤で端子付きケースと磁芯とを接着固定しているため、信頼性が向上するという作用効果を有するものである。
【発明の効果】
【０００９】
以上のように本発明のコイル部品は、エッジワイズ巻きにし、かつ中央の巻き軸方向に貫通孔を有するコイル導体と、このコイル導体を収納して固定する収納部と底部とを有する端子付きケースと、前記貫通孔に挿入され、かつ前記コイル導体を前記収納部の上から覆う磁芯とを備え、前記端子付きケースの収納部における前記貫通孔と対応する位置に孔を設け、かつこの孔を設けた面側の底部における前記磁芯と対向する部分に切り欠き部を設け、さらにこの切り欠き部に磁性粉を混入した接着剤を配設して前記端子付きケースと磁芯とを接着固定しているため、磁束の漏れを最小限にすることができ、これにより、損失を低減させることができるとともに、コイル部品の高さ寸法を低くすることができ、しかも端子付きケースと磁芯とは接着固定しているため、耐振性も向上するという優れた効果を奏するものである。
【発明を実施するための最良の形態】
【００１０】
以下、本発明の一実施の形態におけるコイル部品について、本発明について図面を参照しながら説明する。
【００１１】
図１は本発明の一実施の形態におけるコイル部品の斜視図、図２は同コイル部品の分解斜視図である。
【００１２】
図１、図２において、１はコイル導体で、このコイル導体１は絶縁被覆付き平角導線を面方向に積層して螺旋状に巻回したいわゆるエッジワイズ巻きに構成し、そして中央の巻軸方向に貫通孔２を形成するとともに、コイル導体１の両端部を延設させて同一方向に引き出した導出部３を形成しているものである。また、この導出部３の先端には絶縁被覆が剥離された剥離部４を形成しており、かつこの剥離部４の表面には半田めっきを施しているものである。５は端子付きケースで、この端子付きケース５は前記コイル導体１を横向きに収納して固定する収納部６と、端子８ａ，８ｂを固定して全体を支える底部７とを有する底面開放型に構成されているものである。また、これらは端子８ａ，８ｂを形成するためのリードフレームに液晶ポリマー等の絶縁性合成樹脂を一体成形して作成することにより、端子付きケース５の底面に端子８ａ，８ｂを設けているものである。そしてまた、前記端子付きケース５の収納部６の側面における前記コイル導体１の貫通孔２と対応する位置には孔９を設けている。また、前記端子付きケース５の底面に設けた一方の端子８ａは導出部３を半田付けした端子であり、かつ他方の端子８ｂは実装基板と半田付けする端子である。そして、これらの端子８ａ，８ｂは共に半田めっきを施したリン青銅等の平板導体により構成されており、その一部を端子付きケース５の底面にインサート成形して強固に固定しているものである。
【００１３】
１０は磁芯で、この磁芯１０はフェライト材または金属磁性粉末等により断面Ｅ字形状に構成され、そして、この断面Ｅ字形状の磁芯１０を前記端子付きケース５の収納部６の両側に配置するようにしているもので、この場合、磁芯１０の中脚１１を前記収納部６の側面の孔９に挿入して組み合わせるものである。またこのとき、コイル導体１と磁芯１０の中脚１１との間には、絶縁材料から成る円筒状の絶縁スリーブ１２を予め挿入しているものである。このようにして、二つの磁芯１０を突き合わせて閉磁路を形成することにより、コイル部品１３を構成しているものである。
【００１４】
また、前記端子付きケース５の孔９を設けた面側の底部７における前記磁芯１０と対向する部分には切り欠き部１４を設けているもので、これらを組み立てた後、この切り欠き部１４の中に磁性粉を混入したエポキシ樹脂からなる接着剤１５を注入し、そして加熱して硬化させることにより、端子付きケース５と磁芯１０とを接着固定しているものである。
【００１５】
上記したコイル導体１の周りを磁性体からなる磁芯１０で囲んで閉磁路を形成する場合、磁束の漏れを少なくするためには、その中心に対し対称に磁芯１０を設けるのが望ましい。しかしながら、このようにした場合は、部品全体の高さが高くなるもので、特に、コイル部品１３のように磁性体からなる磁芯１０を用いる場合には、その重量および重心の高さから、半田付け実装した後に振動が加わると半田付け部あるいは部品そのものの信頼性が劣化するという問題が生じるものである。
【００１６】
これに対し、本発明の一実施の形態におけるコイル部品１３においては、磁芯１０の底面に対向する端子付きケース５の底部７の上面に切り欠き部１４を設けているもので、これらを組み立てた後、この切り欠き部１４の中に磁性粉を混入した接着剤１５を注入しているため、磁芯１０の底面より下まで磁性体（磁性粉を混入させた接着剤１５）で覆われることになり、これにより、磁束の漏れを低減することができる。すなわち、部品の高さを高くすることなく、コイル部品１３としての電気的性能を向上させることができるものである。
【００１７】
また、磁性粉を混入した接着剤１５の密度は、端子付きケース５の材料（本発明の一実施の形態では液晶ポリマー等の絶縁性合成樹脂）の密度より大きくなるため、重心の位置をさらに下げることができ、これにより、さらなる耐振性の向上が図れるものである。
【００１８】
そしてまた、上記本発明の一実施の形態においては、二つの磁芯１０を突き合わせることにより閉磁路を形成してコイル部品１３を構成しているが、このとき、磁芯１０が自由に動ける状態になっていると、外部から加わった振動により磁芯１０が振動するため、これにより、コイル部品１３の信頼性が劣化するものである。しかしながら、上記本発明の一実施の形態においては、端子付きケース５と磁芯１０とを接着固定するようにしているため、外部から加わった振動により磁芯１０が振動するということはなくなり、これにより、コイル部品１３の信頼性の向上が図れるものである。
【００１９】
また、端子付きケース５を作成する場合、リードフレームに成型用樹脂をインサート成型することによって端子付きケース５を作成しているが、このとき、収納部６と底部７は同時に成型しているもので、収納部６には磁芯１０の中脚１１を通すための孔９を設ける必要がある。そして、この孔９と底部７の上面との距離が近すぎると、インサート成型するための金型の形状が複雑になって破損しやすくなるものである。しかしながら、上記本発明の一実施の形態においては、端子付きケース５の孔９を設けた面側の底部７における前記磁芯１０と対向する部分に切り欠き部１４を設けた構造としているため、孔９と底部７の上面との距離を確保することができ、これにより、金型の簡略化が図れるとともに、量産性の向上を図ることができるものである。
【産業上の利用可能性】
【００２０】
本発明に係るコイル部品は、端子付きケースの収納部におけるコイル導体の貫通孔と対応する位置に孔を設け、かつこの孔を設けた面側の底部における磁芯と対向する部分に切り欠き部を設け、さらにこの切り欠き部に磁性粉を混入した接着剤を配設して前記端子付きケースと磁芯とを接着固定したことにより、磁束の漏れを最小限にして損失を低減させることができるとともに、コイル部品の高さ寸法を低くすることができ、しかも端子付きケースと磁芯とが接着固定されていることにより、耐振性も向上するという効果を有するものであり、各種の電子機器に適用して有用となるものである。
【図面の簡単な説明】
【００２１】
【図１】本発明の一実施の形態におけるコイル部品の斜視図
【図２】同コイル部品の分解斜視図
【符号の説明】
【００２２】
１  コイル導体
２  貫通孔
５  端子付きケース
６  収納部
７  底部
８ａ  端子
８ｂ  端子
９  孔
１０  磁芯
１４  切り欠き部
１５  接着剤
【図１】
2009123870.tif 000003
【図２】
2009123870.tif 000004